(57)【要約】      （修正有）【課題】容易に効率よく、プールなどの水面にある落ち葉を集め取ることができる水上落ち葉取り用具を提供する。【解決手段】浮力ホース１に金属フェンス２を吊り下げ、浮力ホース１の両端に浮力ホース密閉用栓３を設け浮力を高めるとともに、浮力ホース密閉用栓３の先に固定用の接続用具４を設け、簡単に着脱できる接続用具５とつながるようにし、接続用具５に引いて歩くことのできる持ち手６を固定し、さらに、金属フェンス２の上部に中に浮力ホース１が入る直径の金属リングを設け、金属フェンス２が垂直方向に下がるようにし、且つ、つなぎ目に差し込み式筒状の接続用具を設けることにより、金属フェンス同士の角度の変更や着脱を容易にした本体を水上で移動させることにより、容易に効率的に落ち葉を集め取るのに役立つ。【選択図】図１
0003211840.tif 000002
【実用新案登録請求の範囲】
【請求項１】
プールなどの幅に応じた長さの浮力を有するひも状の物に水上の落ち葉を集めるくし状の金属フェンスを設け、水中で金属フェンスが、水面と垂直の方向を保つように、中にひも状の物が入る直径の金属リングを金属フェンスの上部に設けた水上落ち葉取り用具。
【請求項２】
プールなどの幅に応じて、長さ調節のため、適当な分割ができ、つなぎ目で折れ曲がるように差込式の接続用具を設け、折りたたみや取り付け及び分解が可能な金属フェンスを設けた請求項１記載の水上落ち葉取り用具。
【請求項３】
金属フェンスを設けた浮力を有するひも状の物の両端に着脱可能な持ち手を設け、水中に入ることなく、プールなどの水面にある落ち葉を集め取ることができるようにした請求項１記載の水上落ち葉取り用具。
【考案の詳細な説明】
【技術分野】
【０００１】  本考案は浮力を有するひも状の物（以下、浮力ホースと記す）に、先が直角に曲がった金属フェンス（以下、金属フェンスと記す）を設け、浮力ホースの両端に持ち手を設けた水上に浮かんだ落ち葉などを集め取る用具に関するものである。【０００２】  屋外のプール施設や池などの水面に落ち葉などが浮かんで増えてきた場合、監視員などが、水の中に入り、水中を歩いて、たも網などを使って落ち葉を集めたり、プールサイドや岸から手の届く範囲に浮かんでいる落葉をたも網などですくったりしていた。
【先行技術文献】
【０００３】
【特許文献】
【特許文献】特開２０１３−１３６０４２号  公報  以上で述べた落ち葉回収器では、非効率的であり、水上の落ち葉は集め取れず、たも網ですくい取る方法も時間がかかり、すくい取りきれない。
【考案の概要】
【考案が解決しようとする課題】
【０００４】  屋外プールの水面に浮かんだ落ち葉などは、プール使用の妨げになり、美観的にもよくなく、たも網ですくう方法では、労力的にも時間的にも負担がかかり十分取りきれない。水田や池、露天風呂の水面などでも同様の苦労がある。そこで、今回の考案はプールなどの水面をなぞり、効率的に集め取ることを可能にした水上落ち葉取り用具を開発して、前述の欠点を解決しようとするものである。
【課題を解決するための手段】
【０００５】  本考案は、水上の落ち葉などを容易に効率よく集め取る用具であり、浮力ホースの両端に密閉栓を設けることにより吊り下げた金属フェンスが沈まないようにし、その上部に浮力ホースが入る直径の金属リングを設け、重力で絶えず垂直を保つようにし、幅おおむね１〜２ｍの金属フェンスを数枚つなぎ合わせて折れ曲がるようにし、且つ、両端に持ち手を設けることにより、問題点を解決している。
【考案の効果】
【０００６】  上述の考案をもとにした試作品を屋外プールと池の両方の特徴をもつ水田で試してみたところ、持ち手を持ちながら両端のあぜ道を歩くと、浮力ホースは水面に密着するように浮かび、吊り下がった金属フェンスは、水面下で絶えず垂直な状態を保ち、先端の直角部分でスムーズに落ち葉を集め、折れ曲がり式の金属フェンスは、狭い場所では曲線状になり水田や池の幅にも対応でき、水面から集め取った落ち葉は、最後は水田のあぜ道の直角の部分一箇所に集めれられ、水の中に入らず離れた所から容易に効率的に水上の落ち葉などを集め取ることができた。なお、実践から田植え前の水田の水面や池、露天風呂の水面に浮かんだ落ち葉などを集め取ることに応用できるとともに、大プールの場合は、ホースの両端にロープを取り付け、手動もしくは電動でリール式に巻き上げることも考えれる。
【図面の簡単な説明】
【０００７】
【図１】本考案の水上落ち葉取り用具の一実施例を示す見取り図及び説明である。
【図２】金属フェンスつなぎ目の部分拡大図及び説明である。
【考案を実施するための形態】
【０００８】  プールの幅に応じた長さの浮力ホースに、落ち葉を集め取るために先が直角に曲がったくし状の金属フェンスを吊り下げる構造を有する。金属フェンスの上部には浮力ホースが入る直径の金属リングを設けることにより、絶えず水面と垂直の方向を保つことが可能となる。また、金属フェンスは、プールなどの幅に応じて長さを調節できるよう、おおむね１〜２ｍごとにつないであり、つなぎ目で折れ曲がるように筒状の接続金具を設けることにより、簡単に折りたたみや取り付け及び分解が可能となる。さらに、ホースの両端に着脱可能な持ち手を設けることにより、水中に入ることなく、プールなどの水面に浮かんだ落ち葉を人手で効率的に集め取ることが可能となる。
【実施例】
【０００９】  以下に添付図面に従って一実施例を説明する。浮力ホース１に金属フェンス２（深さおおむね３ｃｍ〜５ｃｍ）を吊り下げた物が水上落ち葉取り用具本体、浮力ホース密閉用栓３は、浮力ホースの内部に空気を密閉させ浮力を高めるためのもの、接続用具４及び５は浮力ホース１と持ち手６とをつなぐものである。持ち手６は浮力ホースを水上で移動させるための人が引っ張って歩く軽いものである。
金属リング７は金属フェンスが垂直方向に下がるためのものである。接続用具８は筒状の金属フェンス接続用具で差し込み式になっており、フェンス同士の角度の変更や着脱を容易にするものである。【０００１０】  本考案の一実施例は上述の如き構成からなるものであるから、屋外にあるプールで使用できるのはもちろんのこと、金属フェンスの枚数を変えたり、折れ曲がる機能を利用したりすることによって、四角ではない形やいろいろな大きさの水田や池、露天風呂などでも活用できる用具である。プールで使用する場合は、本体の両端にロープを設け、リールに手動式（又は電動式）で巻き上げる方法も考えられる。
【符号の説明】
【０００１１】  １  浮力ホース
２  金属フェンス
３  浮力ホース密閉用栓
４  接続用具
５  接続用具
６  持ち手
７  金属リング
８  接続用具
【図１】
0003211840.tif 000003
【図２】
0003211840.tif 000004
【手続補正書】
【提出日】平成29年5月24日(2017.5.24)
【手続補正１】
【補正対象書類名】実用新案登録請求の範囲
【補正対象項目名】請求項１
【補正方法】変更
【補正の内容】
【請求項１】
プールなどの幅に応じた長さの浮力を有するひも状の物、及び水上の落ち葉を集めるくし状の金属フェンスを有し、水中で金属フェンスが、水面と垂直の方向を保つように、中にひも状の物が入る直径の金属リングを金属フェンスの上部に設けた水上落ち葉取り用具。
【手続補正２】
【補正対象書類名】実用新案登録請求の範囲
【補正対象項目名】請求項２
【補正方法】変更
【補正の内容】
【請求項２】
プールなどの幅に応じて、複数の金属フェンスを接続するために、金属フェンスの両端のくし状の部分に設けられた、くし状の部分が差し込める円筒形の形状を有し、となりの金属フェンスと接続するための差込式の接続用具を設け、折りたたみや取り付け・分解が可能な金属フェンスを設けた請求項１記載の水上落ち葉取り用具。